(57)【要約】      （修正有）【課題】野球場での観戦中にビールなどの飲み物を入れた飲み物容器をフリーハンドで保持することができる飲み物容器保持具を提供する。【解決手段】飲み物容器Ｗを挿入するための容器挿入口１ａが先端面に形成された中空筒状保持具本体１と、保持具本体１に両端部が連結されたストラップ２とを有し、ストラップ２を介して保持具本体１を吊り下げた状態で保持具本体１の容器挿入口１ａからその保持具本体１内に飲み物容器Ｗを収納する。【選択図】図１
0003162090.tif 000002
【実用新案登録請求の範囲】
【請求項１】
飲み物容器を挿入するための容器挿入口が先端面に形成された中空筒状保持具本体と、該保持具本体に両端部が連結されたストラップとを有し、該ストラップを介して保持具本体を吊り下げた状態で該保持具本体の容器挿入口からその保持具本体内に飲み物容器を収納するようにしてなる飲み物容器保持具。
【請求項２】
前記保持具本体の外周面に着脱可能に巻回させたバンドに一対の連結枠が取り付けられ、その一対の連結枠に係脱可能に係合する係合具が前記ストラップの両端部に取り付けられてなる請求項１に記載の飲み物容器保持具。
【請求項３】
前記保持具本体がバット型応援グッズである請求項１または２に記載の飲み物容器保持具。
【請求項４】
前記保持具本体の基端部に紐体が取り付けられ、該紐体と前記ストラップとを連結具により着脱可能に連結するようにしてなる請求項１〜３のいずれかに記載の飲み物容器保持具。
【考案の詳細な説明】
【技術分野】
【０００１】
本考案は、例えば野球場での観戦中にビールなどの飲み物を入れた飲み物容器をフリーハンドで保持できるようにした飲み物容器保持具に関する。
【背景技術】
【０００２】
従来、例えば野球場での観戦中は、一方の手に応援グッズを持ち、他方の手でビールなどの飲み物を入れた飲み物容器を持って応援することが一般的に行なわれているが、野球場の応援席は、幅が狭くて隣の応援席に接近しており、手に持った飲み物容器を置くだけのスペースが無い。
【０００３】
そこで、飲みかけの飲み物容器を内股部で挟んで応援席上に置いたり、その飲みかけの飲み物容器を応援席の前の通路上に置いたりしている。なお、関連する技術として特許文献１に記載したものがある。
【先行技術文献】
【特許文献】
【０００４】
【特許文献１】実用新案登録第３１２４９６９号公報
【考案の概要】
【考案が解決しようとする課題】
【０００５】
上記従来の構成では、応援に夢中になって、内股部で挟んで応援席上に置いた飲み物容器から飲み物がこぼれてズボンを汚することがあり、また、応援席の前の通路上に飲み物容器を置く場合には、不衛生であると共に、その通路上に置いた飲み物容器を足部で引っ掛けて倒し飲み物がこぼれて通路上を汚すことがある。
【０００６】
そこで、飲み物を飲み干すまで飲み物容器を手で持ち続けるとすると、その飲み物容器を持っている手が塞がって応援を思い通りにできないという難点がある。
【０００７】
本考案は、上記従来の難点に鑑み、飲み物容器をフリーハンドで保持できるようにした飲み物容器保持具を提供することを目的としている。
【課題を解決するための手段】
【０００８】
上記目的を達成するため構成を図面に基づいて説明すると、請求項１に記載の考案は、飲み物容器Ｗを挿入するための容器挿入口１ａが先端面に形成された中空筒状保持具本体１と、該保持具本体１に両端部が連結されたストラップ２とを有し、該ストラップ２を介して保持具本体１を吊り下げた状態で該保持具本体１の容器挿入口１ａからその保持具本体１内に飲み物容器Ｗを収納するようにしてなる構成を採用するものである。
【０００９】
請求項２に記載の考案は、請求項１に記載の考案において、前記保持具本体１の外周面に着脱可能に巻回させたバンド３に一対の連結枠６が取り付けられ、その一対の連結枠６に係脱可能に係合する係合具９が前記ストラップ２の両端部に取り付けられてなる構成を採用するものである。
【００１０】
請求項３に記載の考案は、請求項１または２に記載の考案において、前記保持具本体１がバット型応援グッズである構成を採用するものである。
【００１１】
請求項４に記載の考案は、請求項１〜３のいずれかに記載の考案において、前記保持具本体１の基端部に紐体１１が取り付けられ、該紐体１１と前記ストラップ２とを連結具１２により着脱可能に連結するようにしてなる構成を採用するものである。
【考案の効果】
【００１２】
請求項１の考案によれば、例えば野球場での観戦中はストラップ２を首部に掛けてその首部から保持具本体１を吊り下げた状態で、その保持具本体１の容器挿入口１ａからその保持具本体１内に飲み物容器Ｗを収納することにより、その飲み物容器Ｗを飲み物がこぼれないように確実且つ衛生的に保持することができると共に、両手が開放されてフリーハンドになるから、その両手を使って応援を思い通りに行なうことができる。
【００１３】
請求項２に記載の考案によれば、保持具本体１にバンド３を介して取り付けた一対の連結枠６にストラップ２の係合具９を係合させ、ストラップ２を介して保持具本体１を吊り下げ状態にするだけで、その保持具本体１を飲み物容器Ｗ収納可能状態にすることができる。
【００１４】
請求項３に記載の考案によれば、保持具本体１からバンド３及びストラップ２を取り外すことにより、その保持具本体１を応援グッズとして使うことができ、使い勝手がよい。
【００１５】
請求項４に記載の考案によれば、例えば首部に掛けたストラップ２の両端部に連結具１２及び紐体１１を介して保持具本体１からなる応援グッズを連結することにより、該応援グッズが首部から吊り下げられるので、両手をその応援グッズから離して自由に使うことができる。
【図面の簡単な説明】
【００１６】
【図１】本考案の実施の一形態である飲み物容器保持具を示す正面図である。
【図２】同縦断面図である。
【図３】同側面図である。
【図４】同分解斜視図である。
【図５】同飲み物容器保持具を応援グッズとして使用している状態を示す正面図である。
【考案を実施するための形態】
【００１７】
図１〜図４は本考案の実施の一形態である飲み物容器保持具を示すものであって、飲み物容器Ｗを保持するための保持具本体１と、該保持具本体１に両端部が連結されたストラップ２とを有している。
【００１８】
前記飲み物容器Ｗは、合成樹脂材により成形された奥すぼまり状有底筒体からなり、例えば５００ｍｌのビールなどの飲み物を入れるものである。
【００１９】
前記保持具本体１は、合成樹脂材により成形された中空筒状のバット型応援グッズからなり、ヒッティングエリア１Ａ、グリップ１Ｂ及びグリップエンド１Ｃとを有し、ヒッティングエリア１Ａの先端面に飲み物容器Ｗを挿入するための容器挿入口１ａが形成され、ヒッティングエリア１Ａとグリップ１Ｂとの境界部分に環状凹段部からなる容器支え部１ｂが形成されており、容器挿入口１ａから保持具本体１内に収納された飲み物容器Ｗの底部を容器支え部１ｂで支える。
【００２０】
前記ヒッティングエリア１Ａの外周面に環状凹溝１ｃが形成され、該環状凹溝１ｃにゴム材などからなる伸縮可能なバンド３が巻回され、該バンド３はアジャスタ４により長さ調整可能に形成され、そのバンド３の両端部が該両端部に設けた雄部５ａ及び雌部５ｂからなるワンタッチバックル５により着脱可能に連結されている。
【００２１】
図４中、６は連結枠であって、合成樹脂材により成形され、略Ｕ字状の下枠部６ａと、該枠本体６ａの上端から斜め上方に延びる略半円状の上枠部６ｂとにより環状に形成されており、一対の連結枠６をバンド３に遊嵌合させ、該バンド３をヒッティングエリア１Ａの環状凹溝１ｃに巻回させてワンタッチバックル５で連結することにより、その一対の連結枠６が保持具本体１の外周面に所定間隔をおいて取り付けられる。
【００２２】
前記ストラップ２はアジャスタ８により長さ調整可能に形成され、該ストラップ２の両端部に係合具９が取り付けられており、該各係合具９は、カラビナと称するものであって、そのストラップ２の両端部に係合させた略コ字状の係合具本体９ａと、該係合具本体９ａの両端部間の開口を塞ぐための回動枠９ｂとからなり、該回動枠９ｂの基端部を係合具本体９ａの一端部に回動可能に係止し、その回動枠９ｂの先端部を係合具本体９ａの他端部に係合するように付勢しており、ストラップ２を保持具本体１に取り付ける場合には、回動枠９ｂを付勢力に抗して回動させ（図４仮想線参照）、係合具本体９ａの他端部を前記一対の連結枠６に係合させる。
【００２３】
上記構成において、図１は野球場での観戦中の応援状態を示すものであって、ストラップ２を首部に掛けることにより保持具本体１を首部から吊り下げ、一方の手に応援グッズ（保持具本体１）を持ち、他方の手でビールなどの飲み物を入れた飲み物容器Ｗを持って応援しており、この状態で、飲みかけの飲み物容器Ｗから手を離す場合には、首部から吊り下げている保持具本体１の容器挿入口１ａからその保持具本体１内に飲み物容器Ｗを収納すればよい（図１仮想線及び図２参照）。
【００２４】
上記構成によれば、首部から吊り下げた保持具本体１に飲み物容器Ｗを収納することにより、その飲み物容器Ｗを飲み物がこぼれないように確実且つ衛生的に保持することができると共に、両手が開放されてフリーハンドになるから、その両手を使って応援を思い通りに行なうことができる。
【００２５】
また、保持具本体１にバンド３を介して取り付けた一対の連結枠６にストラップ２の係合具９を係合させ、ストラップ２を介して保持具本体１を吊り下げ状態にするだけで、その保持具本体１を飲み物容器Ｗ収納可能状態にすることができる。
【００２６】
更に、保持具本体１からバンド３及びストラップ２を取り外すことにより、その保持具本体１を応援グッズとして使うことができ、使い勝手がよい。
【００２７】
図３及び図４に示すように、保持具本体１のグリップ１Ｂに紐体１１が取り付けられ、該紐体１１と前記ストラップ２とを連結具１２により着脱可能に連結している。
【００２８】
前記連結具１２は、互いに嵌脱可能な雄部１２ａと雌部１２ｂとを有するワンタッチバックル型であって、その雄部１２ａ（または雌部１２ｂ）から延びるベルト１３がリング１４及びスナップフックホルダ１５を介して紐体１１に連結され、雌部１２ｂ（または雄部１２ａ）がストラップ２の両端部に連結されている。なお、図３中、１６は紐体１１に移動可能に外嵌させた押釦解除式ロックリングである。
【００２９】
図５に示すように、飲み物容器保持具を応援グッズとして使用する場合には、連結具１２の雄部１２ａと雌部１２ｂとを嵌合させることにより、ストラップ２の両端部に保持具本体１からなる応援グッズを取り付け、そのストラップ２を首部に掛ける。
【００３０】
上記構成によれば、応援グッズが首部から吊り下げられているので、両手をその応援グッズから離して自由に使うことができる。
【符号の説明】
【００３１】
１        保持具本体
１ａ      容器挿入口
２        ストラップ
３        バンド
６        連結枠
９        係合具
１１      紐体
１２      連結具
Ｗ        飲み物容器
【図１】
0003162090.tif 000003
【図２】
0003162090.tif 000004
【図３】
0003162090.tif 000005
【図４】
0003162090.tif 000006
【図５】
0003162090.tif 000007